(57)【要約】【課題】簡易な構成でプロジェクターの盗難防止を図ることができる画像表示システムを提供する。【解決手段】画像を投射して表示するプロジェクター１１と、プロジェクター１１が載置されるワゴン１２とを具備する画像表示システム１０であって、プロジェクター側の制御部２４により、少なくともプロジェクター１１起動時に、プロジェクター１１側の記憶部３８に保存されているプロジェクター１１の識別番号をワゴン１２に送信し、ワゴン１２側の制御部５４により、ワゴン１２側で受信した識別番号とワゴン１２側の記憶部５２に保存されている識別番号とを比較し、一致した場合に、プロジェクター１１側に使用許可情報を送信し、プロジェクター１１側の制御部２４により、ワゴン１２側からの使用許可情報を取得できない場合、報知部によりプロジェクター１１の使用不能を報知するとともに、プロジェクター１１の電源をオフにすることを特徴とする。【選択図】図２
2012132978.tif 000002
【特許請求の範囲】
【請求項１】
画像を投射して表示するプロジェクターと、該プロジェクターが載置されるワゴンとを具備する画像表示システムであって、
前記プロジェクターは、
前記ワゴン側と通信を行う通信部と、前記プロジェクターの識別番号が保存されるＰＪ記憶部と、報知部と、ＰＪ制御部とを有し、
前記ワゴンは、
前記プロジェクター側と通信を行う通信部と、前記プロジェクターの前記識別番号を登録して保存するＷ記憶部と、Ｗ制御部とを有し、
前記ＰＪ制御部は、プロジェクター起動時に前記ＰＪ記憶部に保存されている前記識別番号を前記ワゴン側に送信し、前記Ｗ制御部は、受信した識別番号と前記Ｗ記憶部に保存されている識別番号とを比較し、一致した場合に、プロジェクター側に使用許可情報を送信し、
前記ＰＪ制御部は、ワゴン側から前記使用許可情報を取得できない場合、前記報知部によりプロジェクターの使用不能を報知するとともに、プロジェクターの電源をオフにすることを特徴とする画像表示システム。
【請求項２】
前記プロジェクターは、監視タイマーを有し、前記ＰＪ制御部は、該監視タイマーで設定された時間間隔ごとに、前記通信部を介して、前記ＰＪ記憶部に保存されている前記識別番号を前記ワゴン側に送信することを特徴とする請求項１記載の画像表示システム。
【請求項３】
前記プロジェクターは、中断タイマーを有し、前記ＰＪ制御部は、前記中断タイマーで設定された時間、前記監視タイマーを停止させるとともに、前記報知部による報知を中断することを特徴とする請求項２記載の画像表示システム。
【請求項４】
ワゴン上に載置され、画像投射部から画像を投射して表示するプロジェクターであって、
前記ワゴン側と通信を行う通信部と、前記プロジェクターの識別番号が保存されるＰＪ記憶部と、報知部と、ＰＪ制御部とを有し、
前記ＰＪ制御部は、プロジェクター起動時に前記ＰＪ記憶部に保存されている前記識別番号を前記ワゴン側に送信し、前記ワゴン側で保存されている識別番号と一致した場合にワゴン側から送信される使用許可情報を取得できない場合、前記報知部によりプロジェクターの使用不能を報知するとともに、プロジェクターの電源をオフにすることを特徴とするプロジェクター。
【請求項５】
監視タイマーを有し、前記ＰＪ制御部は、該監視タイマーで設定された時間間隔ごとに、前記通信部を介して、前記ＰＪ記憶部に保存されている前記識別番号を前記ワゴン側に送信することを特徴とする請求項４記載のプロジェクター。
【請求項６】
中断タイマーを有し、前記ＰＪ制御部は、前記中断タイマーで設定された時間、前記監視タイマーを停止させるとともに、前記報知部による報知を中断することを特徴とする請求項５記載のプロジェクター。
【請求項７】
画像を投射して表示するプロジェクターが載置されるプロジェクター用ワゴンであって、
前記プロジェクター側と通信を行う通信部と、前記プロジェクターの識別番号を登録して保存するＷ記憶部と、Ｗ制御部とを有し、
該Ｗ制御部は、前記プロジェクターに保存され、プロジェクター側から送信されて受信したプロジェクターの識別番号と前記Ｗ記憶部に保存されている識別番号とを比較し、一致した場合に、プロジェクター側に使用許可情報を送信することを特徴とするプロジェクター用ワゴン。
【請求項８】
画像を投射して表示するプロジェクターと、該プロジェクターが載置されるワゴンとを具備する画像表示システムの使用方法であって、
前記プロジェクター側の制御部により、プロジェクター起動時に、プロジェクター側の記憶部に保存されているプロジェクターの記識別番号を前記ワゴン側に送信し、
前記ワゴン側の制御部により、ワゴン側で受信した前記識別番号と前記ワゴン側の記憶部に保存されている識別番号とを比較し、一致した場合に、プロジェクター側に使用許可情報を送信し、
前記プロジェクター側の制御部により、前記ワゴン側からの前記使用許可情報を取得できない場合、報知部によりプロジェクターの使用不能を報知するとともに、プロジェクターの電源をオフにすることを特徴とする画像表示システムの使用方法。
【発明の詳細な説明】
【技術分野】
【０００１】
本発明は画像表示システム、プロジェクター、プロジェクター用ワゴンおよび画像表示システムの使用方法に関する。
【背景技術】
【０００２】
プロジェクターの不正使用防止機能、盗難防止機能として、パスワードを入力させる方法があるが、使用の都度入力するのは面倒であった。
特許文献１では、プロジェクターの位置を検出し、監視領域から出た場合に警告を出すシステムが提案されている。
【先行技術文献】
【特許文献】
【０００３】
【特許文献１】特開２００６−２０９１９９号公報
【発明の開示】
【発明が解決しようとする課題】
【０００４】
特許文献１に示されるシステムでは、プロジェクターの位置検出、監視領域の設定などにかなり大掛かりなシステムが必要となり、コストがかかってしまうという課題がある。
本発明は、上記課題を解決するもので、簡易な構成でプロジェクターの盗難防止を図ることができる、画像表示システム、プロジェクター、プロジェクター用ワゴンおよび画像表示システムの使用方法を提供することを目的とする。
【課題を解決するための手段】
【０００５】
本発明に係る画像表示システムは、画像を投射して表示するプロジェクターと、該プロジェクターが載置されるワゴンとを具備する画像表示システムであって、前記プロジェクターは、前記ワゴン側と通信を行う通信部と、前記プロジェクターの識別番号が保存されるＰＪ記憶部と、報知部と、ＰＪ制御部とを有し、前記ワゴンは、前記プロジェクター側と通信を行う通信部と、前記プロジェクターの前記識別番号を登録して保存するＷ記憶部と、Ｗ制御部とを有し、前記ＰＪ制御部は、プロジェクター起動時に前記ＰＪ記憶部に保存されている前記識別番号を前記ワゴン側に送信し、前記Ｗ制御部は、受信した識別番号と前記Ｗ記憶部に保存されている識別番号とを比較し、一致した場合に、プロジェクター側に使用許可情報を送信し、前記ＰＪ制御部は、ワゴン側から前記使用許可情報を取得できない場合、前記報知部によりプロジェクターの使用不能を報知するとともに、プロジェクターの電源をオフにすることを特徴とする。
【０００６】
このように、プロジェクター側にあらかじめプロジェクターの識別番号を記憶、保存し、またワゴン側にもプロジェクターの識別番号を記憶、保存しておき、プロジェクターの起動時に、プロジェクターとワゴンとの間で通信を行って、両者の識別番号が一致したときのみに、ワゴン側から使用許可情報を出すようにしているので、使用の都度識別番号を入力する煩わしさは解消される。そして、プロジェクターとワゴンとの間で通信が確立しない、あるいは通信が途切れた場合に、盗難等の事故が発生したと判断し、報知部によりプロジェクターの使用不能を報知するとともに、プロジェクターの電源をオフにするという簡易な構成で盗難を防止することができる。
【０００７】
また、前記プロジェクターに、監視タイマーを設け、前記ＰＪ制御部は、該監視タイマーで設定された時間間隔ごとに、前記通信部を介して、前記ＰＪ記憶部に保存されている前記識別番号を前記ワゴン側に送信するようにしてもよい。このように動作中定期的にワゴン側と通信を行うことによって、より細かに監視することができる。
さらに、前記プロジェクターに、中断タイマーを設け、前記ＰＪ制御部は、前記中断タイマーで設定された時間、前記監視タイマーを停止させるとともに、前記報知部による報知を中断するようにしてもよい。この中断された時間、プロジェクターの使用が可能となる。例えば、バッテリーで動作するようなプロジェクターであった場合、最初に使用許可しておいて、電源を入れたまま、別の場所に持ち出して使用するなどというケースに対処できる。
【０００８】
本発明に係るプロジェクターは、ワゴン上に載置され、画像投射部から画像を投射して表示するプロジェクターであって、前記ワゴン側と通信を行う通信部と、前記プロジェクターの識別番号が保存されるＰＪ記憶部と、報知部と、ＰＪ制御部とを有し、前記ＰＪ制御部は、プロジェクター起動時に前記ＰＪ記憶部に保存されている前記識別番号を前記ワゴン側に送信し、前記ワゴン側で保存されている識別番号と一致した場合にワゴン側から送信される使用許可情報を取得できない場合、前記報知部によりプロジェクターの使用不能を報知するとともに、プロジェクターの電源をオフにすることを特徴とする。ワゴンに保存されている識別番号と符合した場合に使用可能とすることで、使用の都度識別番号を入力する煩わしさは解消されるとともに、簡易な構成で盗難を防止できるプロジェクターを提供できる。
【０００９】
また本発明に係るプロジェクター用ワゴンは、画像を投射して表示するプロジェクターが載置されるプロジェクター用ワゴンであって、前記プロジェクター側と通信を行う通信部と、前記プロジェクターの識別番号を登録して保存するＷ記憶部と、Ｗ制御部とを有し、該Ｗ制御部は、前記プロジェクターに保存され、プロジェクター側から送信されて受信したプロジェクターの識別番号と前記Ｗ記憶部に保存されている識別番号とを比較し、一致した場合に、プロジェクター側に使用許可情報を送信することを特徴とする。プロジェクターとセットで用いることにより、使用の都度識別番号を入力しなくともプロジェクターの使用を可能とすることができる。
【００１０】
また本発明に係る画像表示システムの使用方法は、画像を投射して表示するプロジェクターと、該プロジェクターが載置されるワゴンとを具備する画像表示システムの使用方法であって、前記プロジェクター側の制御部により、プロジェクター起動時に、プロジェクター側の記憶部に保存されているプロジェクターの記識別番号を前記ワゴン側に送信し、前記ワゴン側の制御部により、ワゴン側で受信した前記識別番号と前記ワゴン側の記憶部に保存されている識別番号とを比較し、一致した場合に、プロジェクター側に使用許可情報を送信し、前記プロジェクター側の制御部により、前記ワゴン側からの前記使用許可情報を取得できない場合、報知部によりプロジェクターの使用不能を報知するとともに、プロジェクターの電源をオフにすることを特徴とする。上記と同様に使用の都度識別番号を入力する煩わしさは解消されるとともに、簡易な構成でプロジェクターの盗難を防止できる。
【図面の簡単な説明】
【００１１】
【図１】画像表示システムの概略的な構成を示す説明図である。
【図２】画像表示システムの機能構成の一例を示すブロック図である。
【図３】プロジェクターの動作フロー図である。
【図４】ワゴンの動作フロー図である。
【発明を実施するための形態】
【００１２】
以下本発明の好適な実施の形態を添付図面に基づいて詳細に説明する。
本実施の形態に係る画像表示システムは、プロジェクター側の制御部により、少なくともプロジェクター起動時に、プロジェクター側の記憶部に保存されているプロジェクターの記識別番号を前記ワゴン側に送信し、前記ワゴン側の制御部により、ワゴン側で受信した前記識別番号と前記ワゴン側の記憶部に保存されている識別番号とを比較し、一致した場合に、プロジェクター側に使用許可情報を送信する。一方、前記プロジェクター側の制御部は、前記ワゴン側からの前記使用許可情報を取得できない場合、報知部によりプロジェクターの使用不能を報知するとともに、プロジェクターの電源をオフにすることを特徴とするものである。
【００１３】
このように、プロジェクター側にあらかじめプロジェクターの識別番号を記憶、保存し、またワゴン側にもプロジェクターの識別番号を記憶、保存しておき、プロジェクターの起動時に、プロジェクターとワゴンとの間で通信を行って、両者の識別番号が一致したときのみに、ワゴン側から使用許可情報を出すようにしているので、使用の都度識別番号を入力する煩わしさは解消される。
そして、プロジェクターとワゴンとの間で通信が確立しない、あるいは通信が途切れた場合に、盗難等の事故が発生したと判断し、報知部によりプロジェクターの使用不能を報知するとともに、プロジェクターの電源をオフにするという簡易な構成で盗難を防止するようにした。
【００１４】
以下図面を用いてさらに詳細に説明する。
図１は画像表示システム１０の概略的な構成を示す説明図である。
１１はプロジェクターであり、車輪付きのワゴン１２上に載置され、移動可能に設けられている。プロジェクター１１とワゴン１２とは、内蔵する通信部間を通信ケーブル１３で接続されることによって、双方から送受信可能となっている。本実施の形態では、プロジェクター１１とワゴン１２とがセットで用いられるものであり、不正使用者等がプロジェクター１１を持ち出しても、プロジェクター１１単独では使用できないようになっている。
【００１５】
図２は画像表示システム１０の機能構成の一例を示すブロック図である。
まず、プロジェクター１１について説明する。
プロジェクター１１の基本構成は公知のものでよいので、以下間単に説明する。
１４は電源部であり、図示しないメインスイッチを介して商用電源に接続され、各部に必要な電力を供給する。
１５は外部機器接続部であり、パソコン、ビデオ等の外部接続機器１６が接続される。
外部機器接続部１５に、例えばパソコンを接続した場合、リモコン（リモートコントロール）１８によって、メニュー中のパソコンを選択する。メニューでパソコンを選択すると、リモコン受光部２０、キー入力処理部２２を介して制御部２４に選択信号が入力され、入力選択部２６でパソコンが選択される。
【００１６】
リモコン１８もしくはプロジェクター１０の本体キー２３から所定の指令がなされると、入力選択部２６により選択された外部機器接続部１５からの画像信号、音声信号が画像音声処理部２８に入力されて画像・音声処理され、画像が画像出力部３０に出力され、音声が音声出力部３２に出力され、さらに画像は画像出力部３０から画像投射部３４に出力されて、画像投射部３４により図示しないスクリーン（投影部）上に画像が投射され、音声は音声出力部３２からスピーカー３６に出力される。
リモコン１８からは、その他の必要なメニュー等がリモコン受光部２０、キー入力処理部２２を介してＰＪ制御部２４に入力され、各種処理が実行される。
【００１７】
記憶部（ＰＪ記憶部ということがある）３８には、各種のプログラム等のほか、プロジェクター１１の識別番号が記憶、保存される。識別番号の入力はリモコン１８から行える。４０は報知部の一例であるＬＥＤ表示部である。画像投射部３４やスピーカー３６も報知部として用いることができる。すなわち、画像投射部３４から必要な警告文等をスクリーン上に表示してもよいし、スピーカー３６から警告音を発するようにしてもよい。警告文としては、例えば、「ワゴンと通信できないので、プロジェクターは使用できません。」等の表示とする。
【００１８】
４２は通信部であり、通信ケーブル１３を通じてワゴン１２側の通信部に接続され、双方から必要な信号の送受信が可能となっている。
また、必要に応じて、監視タイマー４４を設ける。さらに必要に応じて、中断タイマー４６を設ける。
ワゴン１２との通信は、少なくともプロジェクター１１の起動時に行われる。また、監視タイマー４４を設けた場合、プロジェクター１１の起動時のほか、プロジェクター１１の動作中、監視タイマー４４で設定された時間間隔ごとに、定期的に行われる。
また、中断タイマー４６で設定された時間、監視タイマー４４を停止させるとともに、報知部による報知を中断する。この中断された時間、プロジェクター１１の使用を可能にする。例えば、バッテリーで動作するようなプロジェクターであった場合、最初に使用許可しておいて、電源を入れたまま、別の場所に持ち出して使用するなどというケースに対処できる。
【００１９】
次に、ワゴン１２側の構成は次のようになっている。
４８は通信部であり、通信ケーブル１３を通じてプロジェクター１１側の通信部４２に接続されている。
５０は電源部、５２は記憶部（Ｗ記憶部ということがある）、５４は制御部（Ｗ制御部ということがある）である。
Ｗ記憶部５２には、各種プログラムのほか、使用するプロジェクター１１の識別番号が記憶、保存されている。
電源部５０は、プロジェクター１１側の電源部１４を兼ねることもできる。あるいは、プロジェクター１１側の電源部１４がワゴン１２側の電源部５０を兼ねるようにすることもできる。
ワゴン１２は、複数の異なるプロジェクター１１用のワゴンとして用いることができる。この場合、複数のプロジェクター１１の各識別番号をＷ記憶部５２に登録し、保存しておくようにする。
【００２０】
続いて図３により、プロジェクター１１の動作フローを説明する。図３は、監視タイマー４４および中断タイマー４６を設けた場合の動作フローを示す。
まず電源がオンされる（Ｓ１：ステップ１）。
電源がオンされると、ＰＪ制御部２４の指令に基づきワゴン１２側と通信がなされる（Ｓ２）。すなわち、プロジェクター１１側からワゴン１２側に、ＰＪ記憶部３８に記憶、保存されているプロジェクター１１の識別番号とともにプロジェクター１１の使用許可要求を送信する。ワゴン１２側からは使用許可情報がプロジェクター１１側に送信する。
【００２１】
Ｓ３では、ＰＪ制御部２４は、ワゴン１２側からの使用許可情報が受信されているか否かを判断する。使用許可情報が受信されている場合には、プロジェクター１１はそのまま通常の画像投射が可能となる。また、Ｓ４に移行し、監視タイマー４４をスタートさせる。
Ｓ３で、ワゴン１２側からの使用許可情報を取得できない場合には、ワゴン１２側と通信不能であり、ＰＪ制御部２４は、盗難等の何らかの事故があったと判断し、報知部によって警告し（Ｓ５）、また電源をオフにし、プロジェクター１１の使用を不能にする（Ｓ６）。
【００２２】
この警告としては、報知部がＬＥＤ表示部４０であるときは、プロジェクター１１に設けたＬＥＤランプ（図示せず）を点滅させるなどして、ユーザーに警告する。あるいは警告として、画像投射部３４から、スクリーン上に、例えば前記の、「ワゴンと通信できないので、プロジェクターは使用できません。」等の画像を投射する。あるいは、スピーカー３６から同様の内容の警告音を発するようにしてもよい。
【００２３】
Ｓ３で使用許可情報を取得し、Ｓ４で監視タイマー４４がスタートすると、ＰＪ制御部２４は、Ｓ７で、監視タイマー４４の中断操作がなされているか否か判断する。Ｓ７で、監視タイマー４４の中断操作がなされていない場合には、Ｓ８で、監視タイマー４４で設定されている定時監視時間が経過しているか否かを判断し、経過している場合には、Ｓ９で、上記と同様に再度ワゴン１２側と通信し、Ｓ１０でワゴン１２側から使用許可情報を受信しているか否か判断し、受信している場合にはＳ８〜Ｓ１０を繰り返す。
Ｓ１０で、ワゴン１２側から使用許可情報を取得できない場合には、ＰＪ制御部２４は、盗難等の何らかのトラブルがあったと判断して、報知部によって警告し（Ｓ５）、また電源をオフにし、プロジェクター１１の使用を不能にする（Ｓ６）。
このように、動作中定期的にワゴン１２側と通信を行うことによって、より細かに監視することができる。
【００２４】
Ｓ７で、監視タイマー４４の中断操作がなされていると判断した場合には、ＰＪ制御部２４は、Ｓ１１で監視タイマー４４を停止するとともに、中断タイマー４６をスタートさせる。Ｓ１２で、中断タイマー４６で設定された所定時間が経過した場合には、Ｓ１３で、中断タイマー４６を停止し、監視タイマー４４を再度スタートさせて、Ｓ８のルートに移行する。Ｓ１２で、中断タイマー４６で設定された所定時間が経過していない場合には、ユーザーはそのまま、例えば、プロジェクターがバッテリーで動作するものの場合、電源をオンしたまま、別の場所に持ち出して、プロジェクター１１をそのまま継続して使用可能である。
【００２５】
中断タイマー４６は設けなくともよい。この場合には、Ｓ７、Ｓ１１〜Ｓ１３のステップは無くなる。
また、監視タイマー４４も必ずしも設けなくともよい。この場合、Ｓ４、Ｓ７〜Ｓ１３のステップは無くなる。すなわち、プロジェクター１１の起動時のみ、プロジェクター１１とワゴン１２との間の通信がなされ、ワゴン１２側から使用許可情報を取得した場合、プロジェクター１１の投射使用が可能となり、ワゴン１２側から使用許可情報が取得できない場合には、盗難等の何らかの事故があったと判断して、プロジェクター１１の使用を不能にするのである。
【００２６】
図４は、ワゴン１２の動作フロー図である。
電源がオンされ（Ｓ１４）、プロジェクター１１側と通信を開始し、プロジェクター１１側から種々の指令を受信する（Ｓ１５）。
初期使用時には、プロジェクター１１側からプロジェクター１１の識別番号情報が送信される。この識別番号はプロジェクター１１のリモコン１８から入力される。Ｗ制御部５４は、送信される識別番号を登録するか否か判断し（Ｓ１６）、初期状態で登録が必要な場合には、Ｗ記憶部５２に記憶して保存し（受信した識別番号の登録（Ｓ１７））、Ｓ１８で識別番号を登録した旨をプロジェクター１１側に送信し、プロジェクター１１側からの指令を待つ（Ｓ１９）。
【００２７】
Ｗ制御部５４は、Ｓ１６で、プロジェクター１１の識別番号を既に登録済みである場合には、プロジェクター１１側から使用許可要求があるか否か判断する（Ｓ２０）。Ｗ制御部５４は、Ｓ２０で、使用許可要求があった場合、Ｓ２１で、識別番号が既に登録済みか否か、すなわち、プロジェクター１１側から送信される識別番号と、Ｗ記憶部５２に既に登録されている識別番号とが一致するか否か判断し、一致している場合には、プロジェクター１１側に使用許可情報を送信し（Ｓ２２）、プロジェクター１１からの指令を待つ。Ｓ２１で、プロジェクター１１側から送信される識別番号と、Ｗ記憶部５２に既に登録されている識別番号とが一致していない場合には、プロジェクター１１側に使用ＮＧを送信する（Ｓ２３）。すなわち、プロジェクター１１側では、使用許可情報を受信していないことになり（Ｓ３、Ｓ１０）、前記のように、ＰＪ制御部２４は、盗難等の何らかのトラブルがあったと判断して、報知部によって警告し（Ｓ５）、また電源をオフにし、プロジェクター１１の使用を不能にするのである（Ｓ６）。
【符号の説明】
【００２８】
１０  画像表示システム、１１  プロジェクター、１２  ワゴン、１３  通信ケーブル、１４  電源部、１５  外部機器接続部、１６  外部接続機器、１８  リモコン、２０  リモコン受光部、２２  キー入力処理部、２３  本体キー、２４  ＰＪ制御部、２６  入力選択部、２８  画像音声処理部、３０  画像出力部、３２  音声出力部  ３４  画像投射部、３６  スピーカー、３８  ＰＪ記憶部、４０  ＬＥＤ表示部、４２  通信部、４４  監視タイマー、４６  中断タイマー、４８  通信部、５０  電源部、５２  Ｗ記憶部、５４  Ｗ制御部
【図１】
2012132978.tif 000003
【図２】
2012132978.tif 000004
【図３】
2012132978.tif 000005
【図４】
2012132978.tif 000006